【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
基材層の表面にインク受像層を積層した転写シートと、基材層の表面にインク定着層を積層したカードとを用い、
前記転写シートに、昇華性染料インクを用いてインクジェット方式で画像の印刷を行うと共に、前記インク受像層の画像形成部分と前記カードの前記インク定着層とを重ねた状態で前記転写シートを当該カードに加熱圧着し、前記インク受像層に保持した前記昇華性染料インクを前記インク定着層に拡散・発色させて画像を形成するカード用の画像形成方法において、
ロール状に巻回した前記転写シートを繰り出して送りながら、当該転写シートに画像の印刷を行う印刷工程と、
印刷後、前記転写シートの画像形成部分と前記カードとを、位置合わせし且つ重ねて前記転写シートを前記カードに加熱圧着する加熱圧着工程と、
加熱圧着後、前記転写シートを巻き取りながら前記カードから剥離する巻取り剥離工程とを備えたことを特徴とするカード用の画像形成方法。
【請求項２】
前記印刷工程は、前記カードに転写後の画像が正像となるように、前記転写シートに鏡像となる画像の印刷を行うことを特徴とする請求項１に記載のカード用の画像形成方法。
【請求項３】
前記カードの前記インク定着層の表面に、フッ素フィルム層が積層されていることを特徴とする請求項１または２に記載のカード用の画像形成方法。
【請求項４】
前記加熱圧着工程は、重ねた前記転写シートと前記カードとを、少なくとも転写シート側を加熱ローラとする一対のローラに挟持して、定速で同時に回転送りすることにより行われることを特徴とする請求項１、２または３に記載のカード用の画像形成方法。
【請求項５】
前記加熱圧着工程は、重ねた前記転写シートの前記画像形成部分と前記カードとを、熱プレスすることにより行われることを特徴とする請求項１、２または３に記載のカード用の画像形成方法。
【請求項６】
基材層の表面にインク受像層を積層した転写シートと、基材層の表面にインク定着層を積層したカードとを用い、
前記転写シートに、昇華性染料インクを用いてインクジェット方式で画像の印刷を行うと共に、前記インク受像層の画像形成部分と前記カードの前記インク定着層とを重ねた状態で前記転写シートを当該カードに加熱圧着し、前記インク受像層に保持した前記昇華性染料インクを前記インク定着層に拡散・発色させて画像を形成するカード用の画像形成装置において、
走行路に沿って前記転写シートを送るシート送り手段と、
前記走行路に臨み、前記シート送りに同期して前記転写シートに画像の印刷を行う印刷手段と、
搬送路に沿って前記カードを送るカード搬送手段と、
前記走行路と前記搬送路との合流部分に臨み、前記転写シートの画像形成部分と前記カードとを、位置合わせし且つ重ねて当該転写シートを当該カードに加熱圧着する加熱圧着手段と、
前記加熱圧着手段の下流側において、前記カードから前記転写シートを剥離する剥離手段と、
前記シート送り手段、前記印刷手段、前記カード搬送手段、前記加熱圧着手段および前記剥離手段を収容する単一の筐体とを備えたことを特徴とするカード用の画像形成装置。
【請求項７】
前記印刷手段は、前記カードに転写後の画像が正像となるように、前記転写シートに鏡像となる画像の印刷を行うことを特徴とする請求項６に記載のカード用の画像形成装置。
【請求項８】
前記カードの前記インク定着層の表面に、フッ素フィルム層が積層されていることを特徴とする請求項６または７に記載のカード用の画像形成装置。
【請求項９】
複数枚の前記カードを積層してストックすると共に、前記カード搬送手段に当該カードを１枚ずつ供給するカード供給手段を、更に備えたことを特徴とする請求項６、７または８に記載のカード用の画像形成装置。
【請求項１０】
ロール状に巻回した前記転写シートを繰り出す繰出しリールと、繰り出した前記転写シートを巻き取る巻取りリールとを、更に備え、
前記シート送り手段は、前記転写シートを前記繰出しリールから繰り出して前記走行路に沿って送り、前記カードから剥離した後、前記巻取りリールに巻き取ることを特徴とする請求項６ないし９のいずれかに記載のカード用の画像形成装置。
【請求項１１】
前記走行路を構成するカートリッジケースに、前記繰出しリール、前記巻取リールおよび前記転写シートを収容して、シートカートリッジが構成されていることを特徴とする請求項１０に記載のカード用の画像形成装置。
【請求項１２】
前記加熱圧着手段は、重ねた前記転写シートと前記カードとを挟持して定速で同時に回転送りすると共に、少なくとも転写シート側を加熱ローラとする一対のローラで構成されていることを特徴とする請求項６ないし１１のいずれかに記載のカード用の画像形成装置。
【請求項１３】
前記加熱圧着手段は、重ねた前記転写シートの画像形成部分と前記カードとを挟持して加熱する熱プレス機構で構成されていることを特徴とする請求項６ないし１１のいずれかに記載のカード用の画像形成装置。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
【課題を解決するための手段】
本発明のカード用の画像形成方法は、基材層の表面にインク受像層を積層した転写シートと、基材層の表面にインク定着層を積層したカードとを用い、転写シートに、昇華性染料インクを用いてインクジェット方式で画像の印刷を行うと共に、インク受像層の画像形成部分とカードのインク定着層とを重ねた状態で転写シートをカードに加熱圧着し、インク受像層に保持した昇華性染料インクをインク定着層に拡散・発色させて画像を形成するカード用の画像形成方法において、ロール状に巻回した転写シートを繰り出して送りながら、転写シートに画像の印刷を行う印刷工程と、印刷後、転写シートの画像形成部分とカードとを、位置合わせし且つ重ねて転写シートをカードに加熱圧着する加熱圧着工程と、加熱圧着後、転写シートを巻き取りながらカードから剥離する巻取り剥離工程とを備えたことを特徴とする。


【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】
【手続補正４７】
【補正対象書類名】明細書
【補正対象項目名】００５９
【補正方法】削除
【補正の内容】
【手続補正４８】
【補正対象書類名】明細書
【補正対象項目名】００６０
【補正方法】削除
【補正の内容】
【手続補正４９】
【補正対象書類名】明細書
【補正対象項目名】００６１
【補正方法】削除
【補正の内容】
【手続補正５０】
【補正対象書類名】明細書
【補正対象項目名】００６２
【補正方法】削除
【補正の内容】
【手続補正５１】
【補正対象書類名】明細書
【補正対象項目名】００６３
【補正方法】変更
【補正の内容】
【００６３】
本発明のカード用の画像形成装置は、基材層の表面にインク受像層を積層した転写シートと、基材層の表面にインク定着層を積層したカードとを用い、転写シートに、昇華性染料インクを用いてインクジェット方式で画像の印刷を行うと共に、インク受像層の画像形成部分とカードのインク定着層とを重ねた状態で転写シートをカードに加熱圧着し、インク受像層に保持した昇華性染料インクをインク定着層に拡散・発色させて画像を形成するカード用の画像形成装置において、走行路に沿って転写シートを送るシート送り手段と、走行路に臨み、シート送りに同期して転写シートに画像の印刷を行う印刷手段と、搬送路に沿ってカードを送るカード搬送手段と、走行路と搬送路との合流部分に臨み、転写シートの画像形成部分とカードとを、位置合わせし且つ重ねて転写シートをカードに加熱圧着する加熱圧着手段と、加熱圧着手段の下流側において、カードから転写シートを剥離する剥離手段と、シート送り手段、印刷手段、カード搬送手段、加熱圧着手段および剥離手段を収容する単一の筐体とを備えたことを特徴とする。